(57)【要約】【課題】  個人で専用の測定器を用いてディスプレイの校正を行うことなく、手軽にディスプレイで表示している画像の色とプリントアウトした結果の色とが近くなるようにし、ディスプレイの設置場所による影響を低減可能な液晶ディスプレイ装置を提供する。【解決手段】  ランプ（＃１）３１は一般的なＬＣＤパネルのバックライト光源用のランプであり、ランプ（＃２）３２は色温度５０００Ｋに設定された高演色性のランプである。これらランプ（＃１）３１及びランプ（＃２）３２には電源制御回路５が接続されている。電源制御回路５は制御回路部に接続されたコントローラ部からの指示に基づいてランプ（＃１）３１及びランプ（＃２）３２のＯＮ／ＯＦＦを制御するようになっており、そのＯＮ／ＯＦＦ制禦によって２種類のランプ（＃１）３１及びランプ（＃２）３２の少なくとも一方を使用する。【選択図】      図２
2006292795.tif 000002
【特許請求の範囲】
【請求項１】
ディスプレイ画面の表示面に対向する背面側から光を照射するバックライトを持つ液晶ディスプレイ装置であって、
前記バックライトを、少なくとも色温度が異なる複数のランプで構成し、
前記複数のランプの少なくともオンオフ制御を外部指示に応じて行う制御手段を有することを特徴とする液晶ディスプレイ装置。
【請求項２】
前記制御手段は、前記ディスプレイ画面に表示する色味を可変自在としたことを特徴とする請求項１記載の液晶ディスプレイ装置。
【請求項３】
前記ディスプレイ画面が、ＬＣＤ（Ｌｉｑｕｉｄ  Ｃｒｙｓｔａｌ  Ｄｉｓｐｌａｙ）パネルであることを特徴とする請求項１または請求項２記載の液晶ディスプレイ装置。
【請求項４】
前記複数のランプは、少なくとも前記ＬＣＤパネルのバックライト用のランプと、印刷の基準光となっている５０００Ｋに設定された高演色性のランプとを含むことを特徴とする請求項３記載の液晶ディスプレイ装置。
【請求項５】
前記制御手段は、画像処理時に前記高演色性のランプをオンするように制御することを特徴とする請求項４記載の液晶ディスプレイ装置。
【請求項６】
前記制御手段は、少なくとも文書作成時及びインタネット閲覧時に前記ＬＣＤパネルのバックライト用のランプをオンするように制御することを特徴とする請求項４または請求項５記載の液晶ディスプレイ装置。
【請求項７】
ディスプレイ画面の表示面に対向する背面側から光を照射するバックライトを持つ液晶ディスプレイ装置に用いるプリントカラーマッチング方法であって、
前記バックライトとして、少なくとも色温度が異なる複数のランプを配設し、前記複数のランプの少なくともオンオフ制御を外部指示に応じて行うことを特徴とするプリントカラーマッチング方法。
【請求項８】
前記オンオフ制御を行う際に、前記ディスプレイ画面に表示する色味を可変自在としたことを特徴とする請求項６記載のプリントカラーマッチング方法。
【請求項９】
前記ディスプレイ画面が、ＬＣＤ（Ｌｉｑｕｉｄ  Ｃｒｙｓｔａｌ  Ｄｉｓｐｌａｙ）パネルであることを特徴とする請求項６または請求項７記載のプリントカラーマッチング方法。
【請求項１０】
前記複数のランプが、少なくとも前記ＬＣＤパネルのバックライト用のランプと、印刷の基準光となっている５０００Ｋに設定された高演色性のランプとを含むことを特徴とする請求項９記載のプリントカラーマッチング方法。
【請求項１１】
前記オンオフ制御を行う際に、画像処理時に前記高演色性のランプをオンするように制御することを特徴とする請求項１０記載のプリントカラーマッチング方法。
【請求項１２】
前記オンオフ制御を行う際に、少なくとも文書作成時及びインタネット閲覧時に前記ＬＣＤパネルのバックライト用のランプをオンするように制御することを特徴とする請求項１０または請求項１１記載のプリントカラーマッチング方法。
【発明の詳細な説明】
【技術分野】
【０００１】
本発明は液晶ディスプレイ装置及びそれに用いるプリントカラーマッチング方法に関し、特に液晶ディスプレイ装置の表示画面上の色とプリントアウトの色とのマッチングに関する。
【背景技術】
【０００２】
従来、液晶ディスプレイ装置においては、ディジタルカメラ等の撮像素子で撮影された画像を表示する際、ディスプレイ画面に表示して見ている色と、データの色とが異なる場合が多い。
【０００３】
そのため、画像編集ソフトで色の調整をしてプリントアウトしても、期待していた色を出すことが難しい。そこで、従来の液晶ディスプレイ装置では、ディスプレイ画面に表示して見ている色をデータの色に合わせるため、ディスプレイの校正等の細かな調整を行う必要がある。
【０００４】
つまり、液晶ディスプレイ装置においては、画像を表示して見ている際、ディスプレイの設置場所による環境光等によって、見ている画像がデータに忠実な色ではない場合があるので、その状態で色補正などの画像処理を行っても、プリントアウトした結果が意図した色になりにくい。
【０００５】
上記の問題を解決するために、液晶ディスプレイ装置のバックライト用蛍光ランプを赤色蛍光体と、緑色蛍光体と、青色蛍光体とから構成し、色再現性を増加させる技術が提案されている（例えば、特許文献１参照）。
【０００６】
【特許文献１】特開２００２−５６８１２号公報
【発明の開示】
【発明が解決しようとする課題】
【０００７】
しかしながら、従来の液晶ディスプレイ装置では、ディスプレイの校正を行う際に、専用の測定器が必要になり、ディスプレイを設置する場所によって見え方に大きな影響を与えるとともに、ディスプレイが表示している画像の色が必ずしもプリントアウトした結果と同じにならないという問題がある。
【０００８】
上記の特許文献１に記載の技術では、色再現性を増加させる際に、緑色蛍光体の最大発光ピーク以外のサイドピークを除去したり、最小化しなければならないため、やはり専用の測定器が必要になる。
【０００９】
そこで、本発明の目的は上記の問題点を解消し、個人で専用の測定器を用いてディスプレイの校正を行うことなく、手軽にディスプレイで表示している画像の色とプリントアウトした結果の色とが近くなるようにすることができ、ディスプレイの設置場所による影響を低減させることができる液晶ディスプレイ装置及びそれに用いるプリントカラーマッチング方法を提供することにある。
【課題を解決するための手段】
【００１０】
本発明による液晶ディスプレイ装置は、ディスプレイ画面の表示面に対向する背面側から光を照射するバックライトを持つ液晶ディスプレイ装置であって、
前記バックライトを、少なくとも色温度が異なる複数のランプで構成し、
前記複数のランプの少なくともオンオフ制御を外部指示に応じて行う制御手段を備えている。
【００１１】
本発明によるプリントカラーマッチング方法は、ディスプレイ画面の表示面に対向する背面側から光を照射するバックライトを持つ液晶ディスプレイ装置に用いるプリントカラーマッチング方法であって、
前記バックライトとして、少なくとも色温度が異なる複数のランプを配設し、前記複数のランプの少なくともオンオフ制御を外部指示に応じて行っている。
【００１２】
すなわち、本発明の液晶ディスプレイ装置は、ＬＣＤ（Ｌｉｑｕｉｄ  Ｃｒｙｓｔａｌ  Ｄｉｓｐｌａｙ）パネルのバックライトを、従来の液晶ディスプレイ用のランプと高演色性のランプとから構成し、プリントアウトを目的とした画像処理等の作業を行う際、印刷の基準光となっている５０００Ｋに設定された高演色性ランプを用いることによって、プリントアウトの結果に近い色をディスプレイ上で再現することが可能となる。
【００１３】
また、本発明の液晶ディスプレイ装置では、ディスプレイで表示している画像の色とそれをプリントアウトした時の色とにおいて高いマッチングを再現可能としている。
【００１４】
さらに、本発明の液晶ディスプレイ装置では、ディジタルカメラ等の撮像素子で撮影されたデータを画像処理ソフトウェアで編集し、編集結果をプリントアウトする際に、ディスプレイでの表示とプリントアウト結果との色合い等のマッチングを高めることが可能となる。
【００１５】
上記のように、本発明の液晶ディスプレイ装置では、色温度５０００Ｋに設定された高演色性のランプを内蔵しているので、プリントアウトした画像の色とディスプレイ上で見る画像の色との間で高いマッチングを得ることが可能になるとともに、バックライトに高演色性のランプを使用しているので、室内の環境光の影響を低減することが可能となる。
【００１６】
また、本発明の液晶ディスプレイ装置では、従来の液晶ディスプレイ用のランプと高演色性のランプとの２種類のランプを内蔵しているので、ディスプレイ上に表示する画像の処理内容に応じてそれらのランプを交互に使用することによって、ランプの寿命すなわちディスプレイとしての寿命を長くすることが可能となる。
【発明の効果】
【００１７】
本発明は、以下に述べるような構成及び動作とすることで、個人で専用の測定器を用いてディスプレイの校正を行うことなく、手軽にディスプレイで表示している画像の色とプリントアウトした結果の色とが近くなるようにすることができ、ディスプレイの設置場所による影響を低減させることができるという効果が得られる。
【発明を実施するための最良の形態】
【００１８】
次に、本発明の実施例について図面を参照して説明する。図１は本発明の一実施例による液晶ディスプレイ装置の構成を示すブロック図である。図１において、本発明の一実施例による液晶ディスプレイ装置はコントローラ部１と、制御回路部２と、バックライト部３と、ＬＣＤ（Ｌｉｑｕｉｄ  Ｃｒｙｓｔａｌ  Ｄｉｓｐｌａｙ）パネル部４とから構成されている。尚、本発明の一実施例による液晶ディスプレイ装置では、バックライト部３の構成以外が、一般的な液晶ディスプレイ装置の構成と同様となっている。
【００１９】
図２は図１のバックライト部３の構成を示すブロック図である。図２において、バックライト部３はランプ（＃１）３１と、ランプ（＃２）３２とから構成されている。ランプ（＃１）３１は一般的なＬＣＤパネルのバックライト光源用のランプであり、ランプ（＃２）３２は色温度５０００Ｋに設定された高演色性のランプである。これらランプ（＃１）３１及びランプ（＃２）３２には電源制御回路５が接続されている。
【００２０】
電源制御回路５は制御回路部２に接続されたコントローラ部１からの指示に基づいてランプ（＃１）３１及びランプ（＃２）３２のＯＮ／ＯＦＦを制御するようになっており、そのＯＮ／ＯＦＦ制禦によって２種類のランプ（＃１）３１及びランプ（＃２）３２を使用することができる。
【００２１】
この２種類のランプ（＃１）３１及びランプ（＃２）３２を、用途によって使い分けることによって、ディジタルカメラ等の撮像素子で撮影されたデータで画像処理を行い、プリントアウトした時の色と、ディスプレイ上で表示される色とのマッチングを高くすることが可能になる。
【００２２】
図３は本発明の一実施例による液晶ディスプレイ装置におけるランプの切替制御を示す図であり、図４は本発明の一実施例による液晶ディスプレイ装置におけるランプの寿命の関係を示す図である。これら図１〜図４を参照して本発明の一実施例による液晶ディスプレイ装置におけるランプの切替制御について説明する。
【００２３】
まず、液晶ディスプレイ装置において普段の使用、つまり文書作成やインタネット閲覧等の処理に使用する際に、コントローラ２からそれらの処理に使う旨が入力されると、制御回路部２はランプ（＃１）３１を用いて表示を行うようにバックライト部３を制御する。つまり、制御回路部２は電源制御回路５を制御してランプ（＃１）３１への電源をＯＮとし、ランプ（＃２）３２への電源をＯＦＦとする。これによって、本実施例では、一般的なディスプレイ装置と同じ表示が可能となる。
【００２４】
次に、ディジタルカメラ等の撮像素子で撮影されたデータの画像を編集する場合には、制御回路部２に接続されたコントローラ１から、バックライト部３で使用するランプをランプ（＃２）３２に切替える。この状態で、画像処理を行うことによって、本実施例では、プリントアウトした時の色とディスプレイ上の画像の色とのマッチングを高くすることが可能になる。
【００２５】
このように、本実施例では、色温度５０００Ｋに設定された高演色性のランプ（＃２）３２を内蔵しているので、プリントアウトした画像の色とディスプレイ上で見る画像の色との間で高いマッチングを得ることができる。
【００２６】
また、本実施例では、バックライト部３に高演色性のランプ（＃２）３２を使用しているので、画像を編集する場合に、室内の環境光の影響を低減することができる。
【００２７】
さらに、本実施例では、バックライト部３に、一般的なＬＣＤパネルのバックライト光源用のランプ（＃１）３１と、色温度５０００Ｋに設定された高演色性のランプ（＃２）３２との２種類のランプを内蔵しているので、図４に示すように、ランプ（＃１）３１とランプ（＃２）３２とを交互に使用することによって、ランプの寿命すなわちディスプレイとしての寿命を長くすることができる。
【００２８】
ここで、図４において、一般的なＬＣＤパネルのバックライト光源用のランプ（＃１）３１の寿命を「Ｔ」とし、高演色性のランプ（＃２）３２の寿命を「ｔ」とすると、従来の液晶ディスプレイ装置はランプ（＃１）３１のみなので、その寿命が「Ｔ」となるのに対し、本発明の一実施例による液晶ディスプレイ装置はランプ（＃１）３１とランプ（＃２）３２とを備えているので、その寿命は最長「Ｔ＋ｔ」となる。
【００２９】
図５は本発明の他の実施例による液晶ディスプレイ装置の構成を示すブロック図であり、図６は本発明の他の実施例による液晶ディスプレイ装置の動作を示す図である。図５及び図６において、本発明の他の実施例は、その基本的構成が上記の本発明の一実施例による液晶ディスプレイ装置と同様であるが、バックライト部３の制御についてさらに工夫している。
【００３０】
図５において、制御回路部２はランプ（＃１）３１とランプ（＃２）３２との２つのランプを、同時にかつ自在に制御することができる。本実施例では、ランプ（＃１）３１とランプ（＃２）３２との２つのランプを同時に制御することによって、さらに色の再現性を高くすることができ、またユーザの好みの色に調整することができる。
【００３１】
また、本発明の他の実施例による液晶ディスプレイ装置では、制御回路部２において、図６に示すような色変換を行うことによって、さらに色合いＡ〜Ｃの変化の幅を大きくすることができる。
【００３２】
尚、上述した各実施例では、一般的なＬＣＤパネルのバックライト光源用のランプ（＃１）３１と、色温度５０００Ｋに設定された高演色性のランプ（＃２）３２とを用いているが、これら以外にそれぞれ異なる色温度が設定された複数のランプを用いることも可能であり、単にＯＮ／ＯＦＦ制御のみならず、これらを組み合わせて使用することも可能である。
【図面の簡単な説明】
【００３３】
【図１】本発明の一実施例による液晶ディスプレイ装置の構成を示すブロック図である。
【図２】図１のバックライト部の構成を示すブロック図である。
【図３】本発明の一実施例による液晶ディスプレイ装置におけるランプの切替制御を示す図である。
【図４】本発明の一実施例による液晶ディスプレイ装置におけるランプの寿命の関係を示す図である。
【図５】本発明の他の実施例による液晶ディスプレイ装置の構成を示すブロック図である。
【図６】本発明の他の実施例による液晶ディスプレイ装置の動作を示す図である。
【符号の説明】
【００３４】
１  コントローラ部
２  制御回路部
３  バックライト部
４  ＬＣＤパネル部
５  電源制御回路
３１  一般的なＬＣＤパネルのバックライト光源用のランプ（＃１）
３２  高演色性のランプ（＃２）
【図１】
2006292795.tif 000003
【図２】
2006292795.tif 000004
【図３】
2006292795.tif 000005
【図４】
2006292795.tif 000006
【図５】
2006292795.tif 000007
【図６】
2006292795.tif 000008